(57)【要約】【課題】通話時であってもユーザにガイダンスを行うことができ、また通話時に通話の機能を切替えることができる温水利用システムのリモコンを提供することを目的とする。【解決手段】熱源機３と複数のリモコン１，２を有する温水利用システムで、前記リモコン１、２は画像を表示する表示部１１と、前記表示部１１上に配置しタッチすることにより機能するタッチパネル１２と、通話の開始と終了を行う操作部１３を有し、前記操作部１３を操作し通話を開始したとき、前記表示部１１に通話画面を表示する。通話画面は前記リモコンの機能を操作するスイッチを有し、前記スイッチは前記タッチパネルで操作するよう構成する。この構成により通話時であっても前記表示部１１を用いてガイダンスを行うことができ、前記タッチパネルにより通話時に通話の機能を切替えることができる。【選択図】図１
2006148298.tif 000002
【特許請求の範囲】
【請求項１】
熱源機と複数のリモコンを有する温水利用システムで、前記リモコンは画像を表示する表示部と、前記表示部上に配置しタッチすることにより機能するタッチパネルと、通話の開始と終了を行う操作部を有し、前記操作部を操作し通話を開始したとき、前記表示部に表示する通話画面は前記リモコン相互の通話モードを選択する通話モード選択スイッチを有し、前記通話モード選択スイッチは前記タッチパネルで操作するよう構成する温水利用システムのリモコン。
【請求項２】
通話時に、その時点での通話モードを通話画面に表示するよう構成する請求項１に記載の温水利用システムのリモコン。
【請求項３】
複数のリモコンのうち、その時点での話者側のリモコンを通話画面に表示するよう構成する請求項１、２のいずれか１項に記載の温水利用システムのリモコン。
【請求項４】
通話時に、通話画面に当該リモコンでの受話音量を選択する音量選択スイッチを表示し、前記音量選択スイッチは前記タッチパネルで操作するよう構成する請求項１から３のいずれか１項に記載の温水利用システムのリモコン。
【請求項５】
不通話時に、前記操作部を操作し通話を開始したとき、通話を開始したリモコンと他のリモコンとの間で通話できる通話モードを有し、その通話モードを通話画面に表示するよう構成する請求項１から４のいずれか１項に記載の温水利用システムのリモコン。
【請求項６】
リモコンから他のリモコンに対する一方向通話できる通話モードを有し、前記通話モードを通話画面に表示するよう構成する請求項１から５のいずれか１項に記載の温水利用システムのリモコン。
【請求項７】
タイマー手段を有し、任意の時間経過したとき通話を終了し、通話画面を消去するよう構成する請求項１から６のいずれか１項に記載の温水利用システムのリモコン。
【請求項８】
第２のタイマー手段を有し、通話終了の任意時間前になると通話画面に通話終了予告を表示するよう構成する請求項７に記載の温水利用システムのリモコン。
【請求項９】
通話時に、通話画面に当該リモコンでの通話感度を選択する感度選択スイッチを表示し、前記感度選択スイッチは前記タッチパネルで操作するよう構成する請求項１から８のいずれか１項に記載の温水利用システムのリモコン。
【請求項１０】
熱源機と複数のリモコンからなる温水利用システムで、前記リモコンは画像を表示する表示部と、前記表示部上に配置しタッチすることにより操作するタッチパネルを有し、前記表示部には感度設定画面表示スイッチを表示し、前記感度設定画面表示スイッチは前記タッチパネルで操作し、前記感度設定画面表示スイッチを操作すると、前記表示部には感度設定画面を表示し、前記感度設定画面は前記リモコン相互の通話感度を選択する感度選択スイッチを有し、前記感度選択スイッチは前記タッチパネルで操作するよう構成する温水利用システムのリモコン。
【請求項１１】
請求項１〜１０のいずれかに記載の温水利用システムのリモコンの少なくとも１つの手段をコンピュータに実行させるためのプログラム。
【発明の詳細な説明】
【技術分野】
【０００１】
本発明は、通話機能を備えた温水利用システムのリモコンに関するものである。
【背景技術】
【０００２】
従来、温水利用システムのリモコンは通話機能を備え、リモコン相互で通話が可能である。また、通話機能の通話音声を出力するスピーカを共用して通話開始時や通話終了時に音声ガイダンスを行う機能を備えたリモコンが知られている。
【特許文献１】特開２００１−１２８２５１号公報
【発明の開示】
【発明が解決しようとする課題】
【０００３】
しかしながらスピーカを通話機能と音声ガイダンス機能で共用しているため、通話時は音声ガイダンス機能を動作させることができないという課題を有していた。
【０００４】
本発明は従来の課題を解決するもので、通話時であってもユーザに通話の状態や使用方法などのガイダンスを行うことができ、また通話時に通話の機能を切替えることができる温水利用システムのリモコンを提供することを目的とする。
【課題を解決するための手段】
【０００５】
上記目的を達成するために、本発明は、熱源機と複数のリモコンを有する温水利用システムで、前記リモコンは画像を表示する表示部と、前記表示部上に配置しタッチすることにより機能するタッチパネルと、通話の開始と終了を行う操作部を有し、前記操作部を操作し通話を開始したとき、表示する通話画面は前記リモコンの機能を操作するスイッチを有し、前記スイッチは前記タッチパネルで操作するよう構成している。
【発明の効果】
【０００６】
本発明によれば、通話時であっても表示部を用いてガイダンスを行うことができ、タッチパネルにより通話時に通話の機能を切替えることができる。
【０００７】
また、通話時には表示部に通話画面を表示することで、その時点は通話時であることをユーザに画像で通知することができる。そして通話画面を表示するのは通話時のみであるので、非通話時には通話機能以外の機能に関する画面を表示することができる。
【発明を実施するための最良の形態】
【０００８】
第１の発明は、熱源機と複数のリモコンを有する温水利用システムで、前記リモコンは画像を表示する表示部と、前記表示部上に配置しタッチすることにより機能するタッチパネルと、通話の開始と終了を行う操作部を有し、前記操作部を操作し通話を開始したとき、前記表示部に表示する通話画面は前記リモコン相互の通話モードを選択する通話モード選択スイッチを有し、前記通話モード選択スイッチは前記タッチパネルで操作するよう構成する温水利用システムのリモコンを提供するものである。
【０００９】
これによって本発明は、前記リモコンが複数の通話モードを備えるとき、前記タッチパネルにより前記通話モード選択スイッチを操作することでユーザのニーズに合わせた通話モードに切替えることができる。そして通話時であれば表示部に通話画面を表示するので、ユーザは余計な操作をすることなく通話モードの切替えができる。そして通話時には表示部に通話画面を表示することで、その時点は通話時であることをユーザに画像で通知することができる。
【００１０】
第２の発明は、通話時に、その時点での通話モードを通話画面に表示するよう構成する。これによって本発明は、前記通話モード選択スイッチを操作することで通話モードが切替わったとき、その通話モードを通話画面に表示することでユーザにその時点での通話モードを通知することができる。特に他のリモコンで通話モードが切替えられた際に有効である。
【００１１】
第３の発明は、複数のリモコンのうち、その時点での話者側のリモコンを通話画面に表示するよう構成する。これによって本発明は、通話時に話者が切替わったとき、話者側のリモコンを通話画面に表示することでユーザにその時点での話者を通知することができる。特に半二重通話のような同時には一方向しか通話できないような場合に有効である。
【００１２】
第４の発明は、通話時に、通話画面に当該リモコンでの受話音量を選択する音量選択スイッチを表示し、前記音量選択スイッチは前記タッチパネルで操作するよう構成する。これによって本発明は、前記リモコンが受話音量を変更する手段を備えるとき、前記タッチパネルにより前記音量選択スイッチを操作することでユーザのニーズに合わせた受話通話に切替えることができる。そして通話時であれば前記表示部に通話画面を表示するので、ユーザは余計な操作をすることなく受話音量の切替えができる。
【００１３】
第５の発明は、不通話時に、操作部を操作し通話を開始したとき、通話を開始したリモコンと他のリモコンとの間で通話できる通話モードを有し、その通話モードを通話画面に表示するよう構成する。これによって本発明は、前記リモコンにより通話機能以外の機能を操作中であっても、前記操作部を操作することで通話を開始することができる。
【００１４】
第６の発明は、第１のリモコンから他のリモコンに対する一方向通話できる通話モードを有し、その通話モードを通話画面に表示するよう構成する。これによって本発明は、他のリモコンが設置された場所の状況を前記リモコンにより音声でモニターすることができる。また他のユーザが一方的に通話をしているような場合に、当該通話モードに切替えることで該ユーザは通話を開始できる。
【００１５】
第７の発明は、タイマー手段を有し、任意の時間経過したとき通話を終了し、通話画面を消去するよう構成する。これによって本発明は、ユーザが通話を終了する操作をすることなく、通話を終了することができる。
【００１６】
第８の発明は、第２のタイマー手段を有し、通話終了の任意時間前になると通話画面に通話終了予告を表示するよう構成する。これによって本発明は、音声ガイダンスを行うことのできない通話時であっても、通話画面を用いて通話の終了が近い事をユーザに通知することができる。
【００１７】
第９の発明は、通話時に、通話画面に当該リモコンでの通話感度を選択する感度選択スイッチを表示し、前記感度選択スイッチは前記タッチパネルで操作するよう構成する。これによって本発明は、前記リモコンが通話感度を変更する手段を備えるとき、前記タッチパネルにより前記感度選択スイッチを操作することでユーザのニーズに合わせた通話感度に切替えることができる。そして通話時であれば前記表示部に通話画面を表示するので、ユーザは余計な操作をすることなく受話音量の切替えができる。
【００１８】
第１０の発明は、熱源機と複数のリモコンからなる温水利用システムで、前記リモコンは画像を表示する表示部と、前記表示部上に配置しタッチすることにより操作するタッチパネルを有し、前記表示部には感度設定画面表示スイッチを表示し、前記感度設定画面表示スイッチは前記タッチパネルで操作し、前記感度設定画面表示スイッチを操作すると、前記表示部には感度設定画面を表示し、前記感度設定画面は前記リモコン相互の通話感度を選択する感度選択スイッチを有し、前記感度選択スイッチは前記タッチパネルで操作するよう構成する温水利用システムのリモコンを提供するものである。これによって本発明は、前記リモコンが通話感度を変更する手段を備えるとき、前記タッチパネルにより前記感度選択スイッチを操作することでユーザのニーズに合わせた通話感度に切替えることができる。
【００１９】
第１１の発明は、第１〜１０のいずれかに記載の通話システムの少なくとも１つの手段をコンピュータに実行させるためのプログラムである。そして、プログラムであるので、電気・情報機器、コンピュータ、サーバ等のハードリソースを協働させて本発明の温水利用システムのリモコンの少なくとも一部を容易に実現することができる。また記録媒体に記録したり通信回線を用いてプログラムを配信したりすることでプログラムの配布・更新やそのインストール作業が簡単にできる。
【００２０】
以下、本発明の実施の形態について、図面を用いて一実施形態について詳細に説明する。なお、この実施の形態によって本発明が限定されるものではない。
【００２１】
（実施の形態１）
以下、本発明の実施の形態１における温水利用システムのリモコンについて、図面を参照しながら説明する。
【００２２】
図１は実施の形態１の、家庭用の温水利用システム全体を概略的に示す構成説明図である。
【００２３】
図において、台所リモコン１は画像を表示する表示部１１と、前記表示部上に配置しタッチすることにより機能するタッチパネル１２と、通話の開始と終了を行う操作部１３を有している。また台所リモコン１と同等の浴室リモコン２があり、台所リモコン１は台所に、浴室リモコン２は浴室に設置されている。また台所リモコン１と浴室リモコン２が相互に通話可能なように熱源機３に接続されている。
【００２４】
台所リモコン１の操作部１３を操作し通話を開始すると、表示部１１に通話画面を表示し、ユーザに通話が開始した事を通知する。同時に台所リモコン１は浴室リモコン２に通話が開始するという情報と開始する通話モードの情報を送信する。これを受信すると浴室リモコン２は通話を開始する。
【００２５】
また通話時に台所リモコン１の操作部１３を操作し通話を終了すると、表示部１１に表示した通話画面を消去し、ユーザに通話が終了した事を通知する。同時に台所リモコン１は浴室リモコン２に通話が終了するという情報と終了する通話モードの情報を送信する。これを受信すると浴室リモコン２は通話を終了する。
【００２６】
反対に、浴室リモコン２を用いて通話を開始、終了した場合も同様である。
【００２７】
図２は実施の形態１の、台所リモコン１と浴室リモコン２の表示部１１に表示する当該通話画面を概略的に示す構成説明図である。
【００２８】
ここで温水利用システムはモードＡとモードＢの２種類の通話モードを備えるとする。例えば、モードＡは台所リモコン１から浴室リモコン２へ一方的に通話をする通話モード、モードＢは浴室リモコン２から台所リモコン１へ一方的に通話をする通話モード、などである。このとき、通話モードをモードＡとして通話時は通話画面（モードＡ）２１を表示し、モードＢとして通話時は通話画面（モードＢ）２２を表示する。通話画面（モードＡ）２１と通話画面（モードＢ）２２はそれぞれ通話モード選択スイッチ（モードＡ）２３と通話モード選択スイッチ（モードＢ）２４を有し、選択中の通話モードの通話モード選択スイッチは色を変える等、デザインを変更し、選択中であることをユーザに通知する。そして文字ガイダンス２５のように文字によりユーザに操作方法や機能説明などを文字によりガイダンスしてもよい。
【００２９】
通話モードをモードＡに切替えるときは、タッチパネル１２の機能により通話モード選択スイッチ（モードＡ）２３を操作する。またモードＢに切替えるときは、通話モード選択スイッチ（モードＢ）２４を操作する。他のリモコンから通話モードを切替えられた際も通話モード選択スイッチのデザインを変更しユーザに通知する。
【００３０】
また、通話時に、その時点での通話モードを通話画面に表示するよう構成してもよい。
【００３１】
図３は実施の形態１の、台所リモコン１と浴室リモコン２の表示部１１に表示する当該通話画面を概略的に示す構成説明図である。
【００３２】
通話モードをモードＡとして通話時は通話画面（モードＡ）３１を表示し、モードＢとして通話時は通話画面（モードＢ）３２を表示する。そしてモード表示３３にその時点での通話モードを表示する。他のリモコンから通話モードを切替えられた際もモード表示３３の表示を切替え、通話モードが変更されたことをユーザに通知する。
【００３３】
また、複数のリモコンのうち、その時点での話者側のリモコンを通話画面に表示するよう構成してもよい。
【００３４】
図４は実施の形態１の、台所リモコン１と浴室リモコン２の表示部１１に表示する当該通話画面を概略的に示す構成説明図である。
【００３５】
台所リモコンが話者となるときは通話画面（台所通話）４１を表示し、浴室リモコンが話者となるときは通話画面（浴室通話）４２を表示する。そして話者表示４３にその時点で話者となっているリモコンを表示する。この時リモコンの設置されている場所を表示するのが望ましい。他のリモコンから話者が切替えられた際も話者表示４３の表示を切替え、話者が変更されたことをユーザに通知する。
【００３６】
また、通話時に、通話画面に当該リモコンでの受話音量を選択する音量選択スイッチを表示し、前記音量選択スイッチは前記タッチパネルで操作するよう構成してもよい。
【００３７】
図５は実施の形態１の、台所リモコン１と浴室リモコン２の表示部１１に表示する当該通話画面を概略的に示す構成説明図である。
【００３８】
台所リモコン１および浴室リモコン２が大、中、小の３種類の受話音量を備えるとするとき、受話音量を小として通話時は通話画面（音量小）５１を表示する。当該通話画面は音量選択スイッチ（小）５２と音量選択スイッチ（中）５３と音量選択スイッチ（大）５４を有し、選択中の受話音量の音量選択スイッチは色を変える等、デザインを変更し、選択中であることをユーザに通知する。そして文字ガイダンス２５のように文字によりユーザに操作方法や機能説明などを文字によりガイダンスしてもよい。
【００３９】
受話音量を小に切替えるときは、タッチパネル１２の機能により音量選択スイッチ（小）５２を操作する。受話音量を中に切替えるときは、音量選択スイッチ（中）５３を操作する。受話音量を大に切替えるときは、音量選択スイッチ（大）５４を操作する。音量中、音量大、を選択中も同様の操作を行う。
【００４０】
また、不通話時に、前記操作部を操作し通話を開始したとき、通話を開始したリモコンと他のリモコンとの間で通話できる通話モードを有し、その通話モードを通話画面に表示するよう構成してもよい。
【００４１】
図６は実施の形態１の、台所リモコン１と浴室リモコン２の表示部１１に表示する当該通話画面を概略的に示す構成説明図である。
【００４２】
当該通話モードを相互通話モードとし、相互通話モードはリモコン相互に通話するよう構成する。
【００４３】
台所リモコン１の操作部１３を操作し通話を開始すると、表示部１１に通話画面（相互通話中）６１を表示し、ユーザに相互通話モードで通話が開始した事を通知する。同時に台所リモコン１は浴室リモコン２に相互通話モードで通話を開始するという情報を送信する。これを受信すると浴室リモコン２は相互通話モードで通話を開始する。
【００４４】
また通話時に台所リモコン１の操作部１３を操作し通話を終了すると、表示部１１に表示した通話画面を消去し、ユーザに相互通話モードでの通話が終了した事を通知する。同時に台所リモコン１は浴室リモコン２に相互通話モードでの通話を終了するという情報を送信する。これを受信すると浴室リモコン２は相互通話モードでの通話を終了する。反対に、浴室リモコン２を用いて通話を開始した場合も同様である。
【００４５】
相互通話モードは台所に居るユーザと浴室に居るユーザが相互に会話をするときに特に有効である。そして台所リモコン１あるいは浴室リモコン２を用いて通話機能以外の機能を操作中であっても、前記操作部を操作することで通話を開始することができる。
【００４６】
また、第１のリモコンから他のリモコンに対する一方向通話できる通話モードを有し、その通話モードを通話画面に表示するよう構成してもよい。
【００４７】
図７は実施の形態１の、台所リモコン１と浴室リモコン２の表示部１１に表示する当該通話画面を概略的に示す構成説明図である。
【００４８】
当該通話モードを浴室モニターモードとし、浴室モニターモードは浴室リモコンから台所リモコンへ一方向通話するよう構成する。
【００４９】
通話時、浴室モニターモードに切替えるときは、通話モード選択スイッチ（浴室モニター）７２を操作すると、表示部１１に通話画面（浴室モニター中）７１を表示し、ユーザに浴室モニターモードで通話が開始した事を通知する。他のリモコンから通話モードを切替えられた際も通話モード選択スイッチのデザインを変更しユーザに通知する。あるいは台所リモコン１の操作部１３を操作すると浴室モニターモードで通話が開始するよう構成してもよい。
【００５０】
浴室モニターモードは台所に居るユーザが浴室の状況を音声により知ることができる。特に子供や老人が１人で入浴しており浴室の状況を知りたいときに有効である。
【００５１】
図８は実施の形態１の、台所リモコン１と浴室リモコン２の表示部１１に表示する別の当該通話画面を概略的に示す構成説明図である。
【００５２】
当該通話モードを優先通話モードとし、優先通話モードは通話を開始したリモコンから他のリモコンへ一方向通話するよう構成する。
【００５３】
通話時、台所リモコン１の操作部１３を用いて通話の開始とは別の操作で優先通話モードで通話を開始すると、表示部１１に通話画面（優先通話中）８１を表示し、ユーザに優先通話モードで通話が開始した事を通知する。同時に台所リモコン１は浴室リモコン２に優先通話モードで通話が開始するという情報を送信する。これを受信すると浴室リモコン２は優先通話モードで通話を開始する。
【００５４】
優先通話モードは特に浴室モニターモードで通話時に浴室と通話するときに有効である。
【００５５】
また、タイマー手段を有し、任意の時間経過したとき通話を終了し、通話画面を消去するよう構成してもよい。
【００５６】
図９は実施の形態１の、該当タイマー手段の処理手順を示すフローチャートである。
【００５７】
台所リモコン１あるいは浴室リモコン２を用いて通話が開始されると、台所リモコン１と浴室リモコン２の表示部１１に通話画面を表示し（Ｓ１）、タイマー手段を初期化後に（Ｓ２）、タイマー手段がカウントダウン開始する（Ｓ３）。タイマー手段がタイムアップすると（Ｓ４）通話が終了し（Ｓ５）、台所リモコン１と浴室リモコン２の通話画面を消去し（Ｓ６）、ユーザに通話が終了した事を通知する。タイマー手段（図示しない）は台所リモコン１、浴室リモコン２、熱源機３のいずれにあってもよいが、熱源機３にあるのが最も効率的である。
【００５８】
これは特にユーザが通話の終了をし忘れたときに、ユーザが再度操作することなく通話が終了するので有効である。
【００５９】
また、第２のタイマー手段を有し、通話終了の任意時間前になると通話画面に通話終了予告を表示するよう構成してもよい。
【００６０】
図１０は実施の形態１の、該当通話タイマーの処理手順を示すフローチャートである。
【００６１】
台所リモコン１あるいは浴室リモコン２を用いて通話が開始されると、台所リモコン１と浴室リモコン２の表示部１１に通話画面を表示し（Ｓ１１）、タイマー手段Ａ（第１のタイマー手段）、タイマー手段Ｂ（第２のタイマー手段）を初期化後に（Ｓ１２）、タイマー手段がカウントダウン開始する（Ｓ１３）。タイマー手段Ａがタイムアップすると（Ｓ１４）、台所リモコン１と浴室リモコン２は通話画面に通話終了予告を表示し（Ｓ１５）、ユーザに通話の終了が近い事を通知する。タイマー手段Ｂがタイムアップすると（Ｓ１６）通話が終了し（Ｓ１７）、台所リモコン１と浴室リモコン２の通話画面を消去し（Ｓ１８）、ユーザに通話が終了した事を通知する。なお、タイマー手段ＡとＢとを一つのタイマーで兼ねても良い。
【００６２】
また、通話時に、通話画面に当該リモコンでの通話感度を選択する感度選択スイッチを表示し、前記感度選択スイッチは前記タッチパネルで操作するよう構成してもよい。
【００６３】
図１１は実施の形態１の、台所リモコン１と浴室リモコン２の表示部１１に表示する当該通話画面を概略的に示す構成説明図である。
【００６４】
台所リモコン１および浴室リモコン２が低感度、中感度、高感度の３種類の通話感度を備えるとするとき、通話感度を低感度として通話時は通話画面（低感度）９１を表示する。当該通話画面は感度調整スイッチ（低感度）９２と感度調整スイッチ（中感度）９３と感度調整スイッチ（高感度）９４を有し、選択中の通話感度の感度調整スイッチは色を変える等、デザインを変更し、選択中であることをユーザに通知する。そして文字ガイダンス２５のように文字によりユーザに操作方法や機能説明などを文字によりガイダンスしてもよい。
【００６５】
通話感度を低感度に切替えるときは、タッチパネル１２の機能により感度調整スイッチ（低感度）９２を操作する。通話感度を中感度に切替えるときは、感度調整スイッチ（中感度）９３を操作する。通話感度を高感度に切替えるときは、感度調整スイッチ（高感度）９４を操作する。中感度、高感度を選択中も同様の操作を行う。
【００６６】
本実施の形態によれば、上記の構成により、台所リモコン１と浴室リモコン２が表示部１１とタッチパネル１２を有することで通話時であっても表示部１１を用いてガイダンスを行うことができ、タッチパネル１２により通話時に通話モードや受話音量、通話感度といった機能を切替えることができる。
【００６７】
また、通話時には表示部１１に通話画面を表示することで、その時点は通話時であることをユーザに画像で通知することができる。そして通話画面を表示するのは通話時のみであるので、非通話時には通話機能以外の機能に関する画面を表示することができる。
【００６８】
（実施の形態２）
以下、本発明の実施の形態２における温水利用システムのリモコンについて、図面を参照しながら説明する。
【００６９】
図１２は実施の形態２の、台所リモコン１と浴室リモコン２の表示部１１に表示する当該通話画面を概略的に示す構成説明図である。
【００７０】
台所リモコン１および浴室リモコン２が低感度、中感度、高感度の３種類の通話感度を備えるとするとき、表示部１１に表示された感度設定画面表示スイッチをタッチパネル１２の機能により操作すると、感度設定画面を表示し通話を開始する。このとき、通話感度を低感度として通話時は感度設定画面（低感度）１０１を表示する。当該感度設定画面は感度調整スイッチ（低感度）９２と感度調整スイッチ（中感度）９３と感度調整スイッチ（高感度）９４を有し、選択中の通話感度の感度調整スイッチは色を変える等、デザインを変更し、選択中であることをユーザに通知する。そして文字ガイダンス２５のように文字によりユーザに操作方法や機能説明などを文字によりガイダンスしてもよい。
【００７１】
通話感度を低感度に切替えるときは、タッチパネル１２の機能により感度調整スイッチ（低感度）９２を操作する。通話感度を中感度に切替えるときは、感度調整スイッチ（中感度）９３を操作する。通話感度を高感度に切替えるときは、感度調整スイッチ（高感度）９４を操作する。中感度、高感度を選択中も同様の操作を行う。
【００７２】
本実施の形態によれば、上記の構成により、タッチパネル１２により感度選択スイッチを操作することでユーザのニーズに合わせた通話感度に切替えることができる。また感度設定画面を表示時は通話時でもあるので、実際の通話感度を確認しながら通話感度を選択することができる。また前記感度設定画面は、操作部１３を操作し通話を開始したときに表示部１１に表示する通話画面とは異なる画面であるので、保守関連の機能に関する画面に前記感度設定画面表示スイッチを表示することで、保守員のみが通話感度の選択をできるようにすることが可能である。
【００７３】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したりインターネットなどの通信回線を用いて配信したりすることで新しい機能の配布・更新やそのインストール作業が簡単にできる。
【産業上の利用可能性】
【００７４】
本発明の温水利用システムのリモコンは、通話時のみ通話画面と感度設定画面を表示するよう構成したので、温水利用システム以外の、離れた場所に分散して設置するような装置に内蔵することで平常時は前記表示部にその装置の機能に関する画像を表示させ、通話時にのみ通話画面を表示させて利用する事ができる。
【図面の簡単な説明】
【００７５】
【図１】本発明の実施の形態１における家庭用の温水利用システム全体を概略的に示す構成説明図
【図２】同実施の形態１における当該通話画面を概略的に示す構成説明図
【図３】同実施の形態１における当該通話画面を概略的に示す構成説明図
【図４】同実施の形態１における当該通話画面を概略的に示す構成説明図
【図５】同実施の形態１における当該通話画面を概略的に示す構成説明図
【図６】同実施の形態１における当該通話画面を概略的に示す構成説明図
【図７】同実施の形態１における当該通話画面を概略的に示す構成説明図
【図８】同実施の形態１における当該通話画面を概略的に示す構成説明図
【図９】同実施の形態１における該当タイマー手段の処理手順を示すフローチャート
【図１０】同実施の形態１における該当タイマー手段の処理手順を示すフローチャート
【図１１】同実施の形態１における当該通話画面を概略的に示す構成説明図
【図１２】同実施の形態２における当該通話画面を概略的に示す構成説明図
【符号の説明】
【００７６】
１  台所リモコン
２  浴室リモコン
３  熱源機
１１  表示部
１２  タッチパネル
１３  操作部
２１、２２  通話画面
２３、２４  通話モード選択スイッチ
２５  機能説明
３１、３２  通話画面
３３  モード表示
４１、４２  通話画面
４３  話者表示
５１  通話画面（音量小）
５２、５３、５４  音量選択スイッチ
６１  通話画面（相互通話中）
６２  通話モード選択スイッチ（相互通話）
７１  通話画面（浴室モニター中）
７２  通話モード選択スイッチ（浴室モニター）
８１  通話画面（優先通話中）
９１  通話画面（低感度）
９２、９３、９４  感度調整スイッチ
１０１  感度設定画面（低感度）
【図１】
2006148298.tif 000003
【図２】
2006148298.tif 000004
【図３】
2006148298.tif 000005
【図４】
2006148298.tif 000006
【図５】
2006148298.tif 000007
【図６】
2006148298.tif 000008
【図７】
2006148298.tif 000009
【図８】
2006148298.tif 000010
【図９】
2006148298.tif 000011
【図１０】
2006148298.tif 000012
【図１１】
2006148298.tif 000013
【図１２】
2006148298.tif 000014